(57)【要約】  本発明は、作動装置であって、該作動装置は、可動の家具部分を、不動の家具部分に対して、形状記憶要素を有する駆動装置により、開放方向若しくは閉鎖方向へ移動させるようになっている形式のものに関する。駆動装置は、１つの家具部分に取り付けられていて、別の家具部分に、連結要素を介して一時的に接触するようになっている。駆動装置は、駆動要素として、収縮する形状記憶要素若しくはばね蓄力器を有しており、ばね蓄力器は、少なくとも１つの形状記憶要素によって緊張されるようになっている。本発明により、作動装置は改良され、作動装置の駆動装置は、駆動部として若しくは蓄力式駆動部への蓄力のために少なくとも１つの形状記憶要素を有している。
2011522642.tif 000002
【特許請求の範囲】
【請求項１】
作動装置であって、該作動装置は、可動の家具部分（２１）を、不動の家具部分（１１）に対して、少なくとも１つの形状記憶要素（９１，９４，９５，６９１）を有する駆動装置（３０，１３０，２３０，３３０，４３０，５３０，６３０）により、開放方向若しくは閉鎖方向へ移動させるようになっている形式のものにおいて、
−  前記駆動装置（３０，１３０，２３０，３３０，４３０，５３０，６３０）は、１つの前記家具部分（１１，２１）に取り付けられていて、別の前記家具部分（２１，１１）に、連結要素（２４，７０，２７０，３７０，４７２，６７０）を介して一時的に接触するようになっており、
−  前記駆動装置（３０，１３０，２３０，３３０，４３０，５３０，６３０）は、駆動要素として、収縮する形状記憶要素（９１，９４，９５，６９１）を有し、若しくはばね蓄力器（５６１）を有しており、該ばね蓄力器は、少なくとも１つの形状記憶要素（５９１）によって緊張されるようになっていることを特徴とする、家具部分のための、少なくとも１つの形状記憶要素を有する作動装置。
【請求項２】
駆動力形成のための前記形状記憶要素（９１，９４，９５，６９１）は、加熱により収縮しかつ可逆的に冷却により伸長するようになっている請求項１に記載の作動装置。
【請求項３】
前記形状記憶要素（９１，９４，９５，５９１，６９１）は、それぞれ通電により加熱されるようになっている請求項１に記載の作動装置。
【請求項４】
前記形状記憶要素（９１，９４，９５，５９１，６９１）は、１つの線材により形成され、若しくは複数の線材から成る１つの線束により形成されている請求項１に記載の作動装置。
【請求項５】
前記形状記憶要素（９１，９４，９５，５９１，６９１）は、該形状記憶要素の各端部の領域で、電気的な接続部若しくは接続線に接続されている請求項１に記載の作動装置。
【請求項６】
開放すべき前記家具部分（２１）の前記移動のために必要な全ての構成部分は、１つのプレート、若しくは１つのフレーム、若しくは１つのケーシング（３１，１３１，２３１，３３１，４３１，５３１，６３１）に配置されている請求項１に記載の作動装置。
【請求項７】
前記駆動装置（３０，１３０，２３０，３３０，４３０，５３０，６３０）は、少なくとも１つの推進スライダー（５０，２５０，４５０）若しくはローププーリー（３４０）を有しており、該推進スライダー若しくはローププーリーに、前記形状記憶要素（９１，９４，９５，５９１，６９１）が枢着されている請求項１に記載の作動装置。
【請求項８】
前記連結要素は、連行ピン（２４）、若しくは押し開けレバー（７０，２７０，３７０，６７０）、若しくは、押し開けピン（４７２）を有する回転ディスク（４７０）である請求項１に記載の作動装置。
【請求項９】
前記連結要素（２４，７０，２７０，３７０，４７２，６７０）は、開放の際に、少なくとも１つの前記家具部分（２１，１１）と、該家具部分に連結されることなく、接触するようになっている請求項８に記載の作動装置。
【請求項１０】
前記形状記憶要素（９１，９４，９５，５９１，６９１）は、ニッケル・チタン・合金から製造されている請求項１に記載の作動装置。
【請求項１１】
前記形状記憶要素（９１，９４，９５，５９１，６９１）は、内在の双方向作用を有している請求項１から１０のいずれか１項に記載の作動装置。
【請求項１２】
前記可動の家具部分（２１）は、引き出し、スライドドア、回転ドア、旋回ドア、フラップ、若しくは収納式スライドテーブル等である請求項１に記載の作動装置。
【発明の詳細な説明】
【技術分野】
【０００１】
本発明は、作動装置であって、該作動装置は、可動の家具部分を、不動の家具部分に対して、形状記憶要素を有する駆動装置により、開放方向若しくは閉鎖方向へ移動させるようになっている形式のものに関する。
【０００２】
独国特許出願公開第６０１１８８３６Ｔ２号明細書に開示の作動装置は、特にスライドドアの開放のために、帯状の形状記憶要素を有している。更に、スライドドアに配置されたラックに平歯車をかみ合わせてあり、該平歯車は、更に別の平歯車にかみ合っている。両方の平歯車は、帯状の形状記憶要素によってＳ字形に巻き掛けられており、各巻き条は３６０度よりも小さくなっている。帯材は、低温の状態では前記Ｓ字形を有している。帯材が加熱されると、帯材の曲率が逆になり、つまり、これまでのＳ字形が、Ｓ字縦軸線を基準として反転される。これにより、歯車は各巻き掛け角度にわたって回転させられ、ひいては、スライドドアを駆動するようになっている。このような過程は可逆である。
【０００３】
本発明の課題は、家具部分の開放若しくは閉鎖のための作動装置を改良して、作動装置の駆動装置が、駆動部として、若しくは蓄力式駆動部若しくはエネルギー蓄積式駆動部のエネルギーの蓄積のために、少なくとも１つの形状記憶要素を有するようにすることである。
【０００４】
前記課題を解決するために、本発明の請求項１に記載の構成によれば、駆動装置１つ（一方）の家具部分に取り付けられていて、別（他方）の家具部分に、連結要素を介して一時的に接触するようになっている。駆動装置は、駆動要素として、収縮する形状記憶要素を有し、若しくはばね蓄力器を有しており、該ばね蓄力器は、少なくとも１つの形状記憶要素によって緊張され、つまり蓄力されるようになっている。
【０００５】
本発明の１つの形態では、作動装置内に設けられる駆動装置は、１つ若しくは複数の形状記憶要素を用いて、力形成のための直線運動を生ぜしめるようになっている。直線運動は、直接に若しくは伝動部又は伝動装置を用いて、駆動装置を支持する家具部分に移動可能に支承された可動の家具部分に伝達されるようになっている。
【０００６】
駆動装置の必要に応じて用いられる伝動部は、例えばレバー式伝動部、ラック式伝動部等である。
【０００７】
形状記憶要素の作業行程とは逆向きの直線作動行程のためには、例えば、ばね駆動部、重力駆動部、若しくは別の形状記憶要素が用いられる。
【０００８】
別の形態では、駆動装置は、可動の家具部分の開放運動を、ばね力によって生ぜしめるようになっている。このために、例えば機械的なばね若しくは空気ばね又はガスばねにより形成されるばね蓄力器が用いられる。使用されて弛緩されたばね蓄力器を再び緊張するため、つまり、力を放出したばね蓄力器に再び力を蓄えるために、形状記憶要素が用いられる。
【０００９】
家具の不動の家具部分は、例えば、収納ケースやキャビネット等の本体、机の本体、若しくはドアフレーム等である。可動の家具部分は、引き出し、スライドドア、回転ドア、旋回ドア、フラップ、若しくは収納式スライドテーブル又は引き出し式テーブルであり、或いは、不動の家具部分から所定の目的で外側へ旋回若しくは走出可能な可動の構成部分等である。
【００１０】
駆動装置は、一般的に不動の家具部分に配置される。しかしながら、駆動装置を可動の家具部分に取り付けて、不動の家具部分から取り出しできるようにすることも可能である。
【００１１】
例えば引き出しの開放のために直線運動を生ぜしめる形状記憶要素は、本体内で、引き出しの横又は側方に、若しくは引き出しの後側、或いは引き出しの上側又は下側に配置される。駆動装置若しくは形状記憶要素の長手方向は、引き出し開放方向に対して平行に、若しくは垂直に、或いは斜めに向けられてよいものである。形状記憶要素を本体背壁に沿って複数の引き出しにわたって鉛直方向に、或いは本体の対角線方向に延設することも考えられる。
【００１２】
次に、本発明を複数の実施形態に基づき説明する。
【図面の簡単な説明】
【００１３】
【図１】ダイレクト式の引張りワイヤ駆動部を有する駆動装置を、引き出しが閉められた状態で示す図である。
【図２】図１の駆動装置を、図１と同様に、しかしながら引き出しが走出駆動されている状態で示す図である。
【図３】図１の駆動装置を、図２と同様に、しかしながら引き出しが走出されもはや駆動されていない状態で示す図である。
【図４】レバーを介して作用する引張りワイヤ駆動部を有する駆動装置を、引き出しが閉められている状態で示す図である。
【図５】図４の駆動装置を、図４と同様に、しかしながらレバーが外側へ最大に旋回させられた状態で示す図である。
【図６】図４の駆動装置を、図５と同様に、しかしながらレバーが戻し旋回させられている状態で示す図である。
【図７】図４の駆動装置を、図６と同様に、しかしながらレバーが戻し旋回させられた状態で示す図である
【図８】図４の駆動装置を、図６と同様に、しかしながら引張りワイヤが伸長されている状態で示す図である。
【図９】湾曲されたレバーを介して作用する引張りワイヤ駆動部を有する駆動装置を、引き出しが閉められた状態で示す図である。
【図１０】図９のケーシングを示す図である。
【図１１】図９の推進スライダーを示す図である。
【図１２】図９のスライド係止片を示す図である。
【図１３】図９の駆動装置を、図９と同様に、しかしながらレバーが外側へ旋回させられた状態で示す図である。
【図１４】図９の駆動装置を、図１３と同様に、しかしながらレバーが戻し旋回させられた状態で示す図である。
【図１５】巻き掛け式の引張りワイヤ及びスライド式の押し出しレバーを有する駆動装置を示す図である、
【図１６】図１５の駆動装置の縦断面図である。
【図１７】図１５の駆動装置を、図１５と同様に、しかしながら引き出しが走出されもはや駆動されていない状態で示す図である。
【図１８】図１５の駆動装置を、図１７と同様に、しかしながら押し出しレバーが押し戻されている状態で示す図である。
【図１９】回動式の押し開けピンを有する作動装置を示す図である。
【図２０】図１９の作動装置の縦断面図である。
【図２１】図１９の作動装置を、図１９と同様に、しかしながら引張りワイヤが収縮された状態で示す図である。
【図２２】図１９の作動装置を、図２１と同様に、しかしながら推進スライダーが戻される状態で示す図である。
【図２３】図１９の作動装置を、図１７と同様に、しかしながら引き出しが閉められる状態で示す図である
【図２４】引き出しの開放のためのばね駆動部を有する作動装置を示す図である。
【図２５】図２４の作動装置を、ばね駆動部が引き伸ばされた状態で示す図である。
【図２６】開放のための作動装置及び閉鎖のための作動装置を有する閉められた状態の引き出しを示す図である。
【図２７】図２６の引き出しを、該引き出しが閉められる状態で示す図である。
【００１４】
図１は、例えば作業面若しくは作業テーブル等の下方に設置され、下置き棚とも称されるキャビネット（１０）の引き出し（２１）の開放のための電気式の作動装置を示しており、該作動装置において、駆動装置（３０）は駆動要素として、例えば特殊な引張りワイヤ（９１）を有している。引張りワイヤ（９１）は、形状記憶合金、例えばニッケル・チタン・合金から形成されている。引張りワイヤ（９１）は、温度変化に基づき、伸びた低温状態と縮んだ高温状態との間で切り換えられる。加熱のために、引張りワイヤ（９１）はその端部を介して短時間通電されるようになっている。接続線は図示を省略してある。
【００１５】
作動装置は、図１では、例えばキャビネット本体（１１）の側壁（１３）に取り付けられている。側壁（１３）には、引き出し（２１）を支持する案内レール（２６）も取り付けられている。案内レール（２６）に沿って引き出し（２１）の支持ローラ（２５）が走行するようになっている。
【００１６】
作動装置は、フレーム若しくはプレート（３１）に組み付けられている。プレート（３１）には、幾つかの保持ボルト（３２〜３５）、２つの案内ボルト（３７，３８）、滑子案内（４１）及び磁石（４３）が取り付けられている。
【００１７】
案内ボルト（３７，３８）は、図示の実施形態では引き出し移動方向（１，２）に対して平行に移動可能な推進スライダー（５０）を案内している。このために、推進スライダー（５０）は、２つの長孔（５１）を有しており、長孔（５１）は、該長孔に配設された案内ボルト（３７，３８）を、遊びをもって受容している。推進スライダー（５０）は、前側及び後側にそれぞれ１つの孔（５２，５３）を有している。後側の孔（５３）には例えば引張りコイルばね（６１）が引っ掛けられており、引張りコイルばね（６１）は、更に保持ボルト（３２）に枢着されている。別の、例えば前側の孔（５２）内に引張りワイヤ（９１）が取り付けられている。引張りワイヤ（９１）の右側の端部は、アイを介して保持ボルト（３３）に取り付けられている。
【００１８】
推進スライダー（５０）は、中央の領域に切欠き部（５４）を有しており、該切欠き部内にプッシュ要素若しくは推進要素として係止片（４４）が旋回可能に支承されている。このために、係止片（４４）は、係止片旋回用ボルト（５７）にヒンジ的に取り付けられている。係止片（４４）は、重力に基づき切欠き部（５４）から下方へ降下する推進突起部（４５）を有しており、該推進突起部の前縁（４６）は、図１では、引き出し（２１）の連行ピン（２４）の前側に位置している。係止片（４４）の右側の領域には、例えば上方へ折り曲げられた片持ちアーム（４７）が設けられており、片持ちアーム（４７）は、該片持ちアーム（４７）に対して横方向に向けられた滑子ピン（４８）で終わっている。係止片（４４）の上側には、片持ちアームとの接触領域に磁化可能若しくは磁性のレリーズプレート（４９）が配置されている。
【００１９】
滑子ピン（４８）は、ここでは、つまり図示の実施形態では、滑子案内（４１）に加工成形された滑子案内溝（４２）内に案内されている。滑子ピン（４８）は、滑子案内溝（４２）内でほぼ長方形の無端の軌道路に沿って移動するようになっている。
【００２０】
図１において、引き出し（２１）は、その閉鎖位置にある。閉鎖位置において、後側の支持ローラ（２５）は、案内レール（２６）の凹部（２７）の最も深い部位を占めている（図３、参照）。凹部（２７）は、ここでは支持ローラ（２５）の半径により規定される曲率よりも小さな曲率を有している。開放方向で凹部（２７）の前には、隆起部（２８）が配置されている。
【００２１】
引張りコイルばね（６１）は、推進スライダー（５０）をその後側の位置に保持している。推進突起部（４５）の前縁（４６）は、引き出し（２１）の連行ピン（２４）の前側に位置している。引張りワイヤ（９１）は低温である。
【００２２】
今、引き出し（２１）がその開放のために、閉鎖位置（５）を超えて十分の数ミリメートルにわたって動かされると、引き出し（２１）の背壁（２２）若しくは相応の引き出し領域が、スイッチ（８）を作動させ、スイッチ（８）は、配設された回路を介して電流を引張りワイヤ（９１）に供給するようになっている。これによって、引張りワイヤ（９１）は縮むことになる。このような構成により、右側へ運動する推進スライダー（５０）は、推進要素（４４）を介して引き出し（２１）を、隆起部（２８）を超えて移動させて、更に、引き出し（２１）を開放方向（１）へ加速させるようになっている。これにより、引き出し（２１）は開けられることになり、滑子ピン（４８）は、滑子案内溝（４２）の下側の領域内を右側へ移動する。これによって、推進スライダー（５０）は、レリーズプレート（４９）と一緒に、次第に磁石（４３）の作用領域に接近することになる。磁石は電磁石から成っていてよいものである。
【００２３】
引き出し（２１）の走出移動（開放移動）の場合に、連行ピン（２４）が推進突起部（４５）から離される際に、引張りワイヤ（９１）の縮み動作は終わっており、磁石（４３）によってレリーズプレート（４９）は引き付けられる。係止片（４４）は、係止片旋回用ボルト（５７）を中心として上方へ旋回させられる。滑子ピン（４８）は、滑子案内溝（４２）の上側の領域内に達する。これによって、推進突起部（４５）は、連行ピン（２４）及び引き出し（２１）が、推進突起部と接触することなしに、推進突起部の下を通過できるほどに、上方に持ち上げられている。
【００２４】
引き出しを開けている間に、つまり通電終了に伴って、引張りワイヤ（９１）は冷却されはじめる。引張りコイルばね（６１）は、引張りワイヤ（９１）の伸びに対応して、推進スライダー（５０）を左側へ、推進スライダーの出発位置（基準位置）に引き戻す。滑子ピン（４８）は、滑子案内溝（４２）の上側の領域（軌道路）に沿って移動させられる。このことは、レリーズプレート（４９）が磁石（４３）から解放された場合にも当てはまる。滑子軌道の後側の端部は、推進スライダー（５０）が、その後側の位置（図１、参照）を再び占めることにより達成される。引張りワイヤ（９１）は、孔（５２）と保持ボルト（３３）との間に、弛緩した状態で架設されている。滑子ピン（４８）は、再び滑子案内溝４２の下側の領域内へ戻り落ち、これにより、推進突起部（４５）も再び連行ピン（２４）の後側に位置を占める。駆動装置（３０）は再びその出発位置を占めている。
【００２５】
引き出し（２１）も再び閉鎖位置（５）を占めると、作動装置は、新たに作動開始できるようになっている。
【００２６】
図１〜図３には、複数の引張りワイヤから成る１つの線束により形成されていてよい簡単な引張りワイヤ９１に対する変化形態として、例えば動滑車を介して互いに直列に連結された複数の引張りワイヤから成る１つのカスケード式引張りワイヤユニット（９３）が、破線で描かれている。ここでは、プレート（３１）上に例えば縦方向移動可能に案内された転向スライダー（９６）が、２つの引張りワイヤ（９５）を介して、プレート（３１）に設けられた保持ボルト（３５）につながれている。転向スライダー（９６）には、例えば動滑車として形成されていてよい転向ローラ（９７）が支承されており、転向ローラ（９７）に引張りワイヤ（９４）を巻き掛けてあり、引張りワイヤ（９４）は一方の端部で推進スライダー（５０）に引っ掛けられ、かつ他方の端部でプレート（３１）の保持ボルト（３４）に取り付けられている。ここでは、全ての引張りワイヤ（９４，９５）が、引き出し（２１）の開放のために通電されるようになっている。同様の別のカスケード式引張りワイヤユニットを用いることによって、スライド距離及び／又は引張り力を変えることができる。
【００２７】
図４〜図８は、本体（１１）及び引き出し（２１）を平面図で示している。図４では、引き出し（２１）は閉鎖位置（５）にある。引き出し（２１）の背壁（２２）と本体（１１）の背壁（１２）との間に、プレート（１３１）が配置されており、該プレートに作動装置を組み付けてあり、該作動装置は駆動装置（１３０）を有している。
【００２８】
駆動装置（１３０）も、推進スライダー（５０）及び該推進スライダーに設けられた係止片（４４）を含んでいる。推進スライダー（５０）は、２つの長孔（５１）を有していて、該長孔内に係合する案内ボルト（３７，３８）によって案内されている。推進スライダー（５０）の前側に引張りワイヤ（９１）が配置されている。引張りワイヤ（９１）は、一方の端部で推進スライダー（５０）の孔（５２）内に引っ掛けられており、かつ他方の端部で、つまり本体側で保持ボルト（３３）に取り付けられている。
【００２９】
図４では、推進スライダー（５０）は、例えば１Ｎ／ｍｍの低いばね定数を有する引張りばね（６１）によって、該推進スライダーの後側の位置（終端位置）へ移動させられている。推進スライダーが後側の位置を占めた状態では、引張りワイヤ（９１）は、例えば緊張しない状態で張られ、つまり、引張り応力が発生しないように、わずかに緩く張られている。
【００３０】
推進スライダー（５０）は、図６に示してあるように、切欠き部（５４）内に、推進要素として係止片（４４）を受容しており、該係止片は、係止片旋回用ボルト（５７）を用いて切欠き部（５４）内に支承されている。係止片（４４）は、推進突起部（４５）、旋回レバー（１４７）及びストッパー（１４８）を有している。係止片（４４）の旋回レバー（１４７）に、引張りばね（１４９）が一方の端部で引っ掛けられており、該引張りばねは、他方の端部で推進スライダー（５０）のブラケット部（５８）に枢着されている。引張りばね（１４９）は、係止片（４４）を通常は、図４及び図５に示す位置に保持している。この状態では、係止片（４４）のストッパー（１４８）は、推進スライダーに当接している。
【００３１】
図４に示してあるように、開放方向（１）において、プレートに支承されていて例えば４５度にわたって屈曲された押し開けレバー（７０）が、推進スライダー（５０）の前側の位置を占めている。押し開けレバー（７０）は、短い方のレバーアーム（７１）と長い方のレバーアーム（７２）とから成っている。両方のレバーアームは、旋回支承部（７５）を中心として延びており、つまり該旋回支承部の両側を延びている。短い方のレバーアーム（７１）は、その自由な端部に連行ボルト（７３）を支持しているのに対して、長い方のレバーアーム（７２）は、レバーローラ（７９）を支承している。押し開けレバー（７０）は、その旋回支承部（７５）を介して、プレート（１３１）に固定された旋回ピン（３９）に支承されている。短い方のレバーアーム（７１）に、引張りばね（７８）が一方の端部で引っ掛けられており、該引張りばねは他方の端部で、定位置（不動）の、つまりここではプレートに固定された保持ボルト（１３３）に枢着されている。引張りばね（７８）は、押し開けレバー（７０）を定位置のストッパーボルト（１３２）に向けて引っ張っている。
【００３２】
図示の実施形態では、押し開けレバー（７０）の右側の横で、プレート（１３１）にスイッチ（８）が配置されている。スイッチ（８）のスイッチボタンは、引き出しの背面（２２）に向けられている。スイッチボタン及びレバーローラ（７９）は、引き出し（２１）がその閉鎖位置（２）に静止している間は、背面（２２）と接触していない。
【００３３】
引き出し（２１）を開けるためには、引き出し（２１）は、スイッチ（８）に向けて十分の数ミリメートルだけ動かされ、その結果、スイッチ（８）は回路を介して、引張りワイヤ（９１）を電圧で負荷することになる。これにより、引張りワイヤ（９１）は、収縮を開始し、つまり縮みはじめる。推進スライダー（５０）は、推進要素（４４）の前縁部（４６）を介して連行ボルト（７３）に当接していて、押し開けレバー（７０）を、引き出し（２１）の背壁（２２）に向けて旋回させるようになっている。これにより、レバーローラ（７９）が背壁（２２）に沿って転動することになる（図５、参照）。
【００３４】
押し開けレバー（７０）の旋回（押し開け旋回）に際して前縁部（４６）の上側の角隅が、連行ボルト（７３）の中心より下側に達すると、係止片（４４）は下方へ変位され（図６、参照）、その結果、押し開けレバー（７０）の戻り旋回を可能にしている（図７、参照）。押し開けレバーの押し開け旋回の後には、引き出し（２１）は、その質量慣性に基づき、引き続き開放方向に運動することになる。
【００３５】
引張りワイヤ（９１）を伸長させる冷却過程中に、引張りばね（６１）は、推進スライダー（５０）を右側へ、該推進スライダーのもとの出発位置に引き寄せるようになっている（図８、参照）。この場合に、係止片（４４）は、押し開けレバーの連行ボルト（７３）により後退させられつつ、該連行ボルトの下側に沿って滑動して該連行ボルトを通過するようになっている。係止片（４４）が連行ボルト（７３）の下を通過した後に、係止片（４４）は、引張りばね（１４９）の作用により、時計回り方向で上方へ旋回させられ、その結果、ストッパー（１４８）が推進スライダー（５０）に当接することになる。これにより、推進突起部（４５）は再び、連行ボルト（７３）の後側に位置している。つまり、引き出し（２１）の押し込み（閉鎖）の後に、作動装置は、再び該作動装置の出発位置を占めるようになっている。
【００３６】
図９〜図１４に示す作動装置において、駆動装置（２３０）は、例えば組み込まれたラック（２５２）から成る推進スライダー（２５０）を移動させようになっていて、つまり、本体（１０）内に収容される引き出し（２１）の開放のために、ラック（２５２）を介して、少なくとも部分的に歯の付けられた押し開けレバー（２７０）を強制的に旋回させるようになっている。このために、本体（１０）内には引き出し（２１）の後側の領域に、支持フレーム（１５）が配置されており、該支持フレームに、例えば直六面体状のケーシング（２３１）が取り付けられている（図１０、参照）。
【００３７】
ケーシング（２３１）内において、推進スライダー（２５０）は、長方形の案内フレーム（２３２）内に滑り支承されている。案内フレーム（２３３）の底部には、六角形の平らな凹部（深さの一様な凹部）（２３３）を設けてあり、該凹部（２３３）は、１つの辺に形成された乗り上げ傾斜面（２３４）を有している。乗り上げ傾斜面（２３４）は、推進スライダー（２５０）のスライド方向に対して例えば４５度を成して傾斜している。乗り上げ傾斜面（２３４）は、ここでは凹部（２３３）の平らな側面によって形成されている。しかしながら、乗り上げ傾斜面は、湾曲して形成されていてもよい。
【００３８】
ケーシング（２３１）は、中央の領域で案内フレーム（２３２）の側部に、押し開けレバー（２７０）の旋回ピン（２７６）の受容のための孔により形成される支承部位（２７５）を有している。更にケーシング（２３１）は、支承部位（２７５）の領域に、押し開けレバー（２７０）のための貫通部（２３５）を有している。ケーシングは、右側の領域に、引張りばね（１６１，２４９）の受容のための２つの支承部位（２３８，２３９）を有している（図１０、参照）。ケーシング（２３１）の左側の端壁には、引張りワイヤ（９１）の貫通のための貫通部（２３６）が設けられている。
【００３９】
図９、図１０、図１３及び図１４に開けられた状態で示してあるケーシング（２３１）は、使用状態では蓋によって閉じられるものであり、該蓋は、ケーシング底部と鏡面対称的に、同じく案内フレーム（２３２）及び凹部（２３３）を有している。
【００４０】
案内フレーム（２３２）内に縦方向摺動可能（長手方向摺動可能）に配置されている推進スライダー（２５０）は、図１１には、仮想の中央線に沿って縦断面して示してある。推進スライダー（２５０）は、実質的に上側のプレートと下側のプレートとから成っており、両方のプレートは、Ｓ字形のウエブ（２５１）によって相互に結合されている。ウエブ（２５１）は、推進スライダー（２５０）を左側の区分と右側の区分とに区分けしている。右側の区分の長手方向に延びる縦壁は、ラック（２５２）を形成している。右側の区分の右側の端面壁は、支承部位（２５３）として形成される切欠き部を有している。
【００４１】
上側のプレート及び下側のプレートは、左側の区分において、それぞれｌ字形の長孔滑子案内（２５４）を有しており、該長孔滑子案内の長い方の直線状の中心線区分は、ラック（２５２）の基準ピッチ線の延長線上に配置されている。長孔（２５４）の短い方の領域は少なくとも、該短い方の長孔領域（長孔区分）の左側の推進側面（２５５）が、十分の数ミリメートルの長さの直線の区分を有することができるほどの長さで形成されている。
【００４２】
図１２は、推進スライダー（２５０）の長孔滑子案内（２５４）内に支承されかつ案内されるスライド係止片（２５６）を、該スライド係止片に引っ掛けられた引張り舌片（２９２）と一緒に、水平断面で示している。スライド係止片（２５６）は、側方へ例えば１００度の角度を成して突出する係止片レバーアーム（２５７）を有しており、該係止片レバーアームは、その自由な端部に、引張りばね（２４９）のための支承部位（２４８）を有している。スライド係止片（２５６）と係止片レバーアーム（２５７）との間の交差部位の領域に、案内ピン（２５９）により貫通されるスリットが、言い換えれば、案内ピン（２５９）を横切るように形成されたスリットが設けられており、該スリット内に、引張りワイヤ（９１）の固定のための引張り舌片（２９２）が差し込まれている。
【００４３】
引張り舌片（２９２）は案内ピン（２５９）に保持されており、つまり、案内ピン（２５９）は、スリット内に差し込まれた引張り舌片（２９２）の孔を貫通している。引張り舌片（２９２）は、ケーシング（２３１）の両方の長孔滑子案内（２５４）により確実に案内されるように、スライド係止片（２５６）の上面及び下面から突出している。スライド係止片（２５６）の前側の端部には、案内ピン（２５９）に対して平行な制御ピン（２５８）を設けてあり、該制御ピンは、長孔滑子案内（２５４）を貫通し、かつケーシング（２３１）の両方の凹部（２３３）内に突入している。
【００４４】
押し開けレバー（２７０）は、実質的にプレート状のハブ（２７２）及び鎌形に湾曲する長いアーム（２７１）を有している。ハブ（２７２）は、アーム（２７１）とは逆の側に配置された歯部（２７３）を有しており、該歯部（歯列）の例えば６つの歯は、例えば１８０度にわたって分配されていて、ハブ（２７２）から突出している。ハブ中心に、押し開けレバー（２７０）の旋回ボルト（２７６）が配置されている。アーム（２７１）は、背壁（２２）に対して湾曲された接触面（２７７）を有しており、この場合に該湾曲面は、図示の実施形態では部分円筒外周面に相当するものであり、つまり、凸曲面である（図９、参照）。接触面（２７７）は、引き出し（２１）の押し開けに際して、まず、引き出しと第１の接触線（２７８）で接触する。つまり、押し開けレバー（２７０）は、押し開け開始時には、例えば半分まで短くされたてこ腕で引き出し（２１）に作用している。開放方向に移動する、つまり走出する引き出し（２１）が、押し開けレバー（２７０）から離れる直前では、引き出し（２１）は、押し開けレバー（２７０）と最後の接触線（２７９）で接触している。この状態では、押し開けレバー（２７０）は、その最大のてこ腕で引き出し（２１）に作用している。
【００４５】
接触面（２７７）が、図９に描かれている曲線と交差しかつ図平面に垂直に延びる線の方向でも曲率を有している場合には、接触面は、球面状に湾曲しており、接触部位は接触線（２７８，２７９）から接点になる。
【００４６】
引き出し（２１）を押し開けるためには、引き出し（２１）は、その背壁（２２）がスイッチ（８）と当接するように、スイッチ（８）に向けて動かされる。スイッチ（８）は、引張りワイヤ（９１）に給電するようになる。これにより、引張りワイヤ（９１）は、引張り舌片（２９２）を介してスライド係止片（２５６）を引っ張ることになる（図９、参照）。この時点では、スライド係止片（２５６）は、案内フレーム（２３２）内で右側に位置している推進スライダー（２５０）の長孔滑子案内（２５４）内における右側の終端位置を占めている。制御ピン（２５８）は、長孔滑子案内（２５４）の推進側面（２５５）に接触していて、この接触位置に、引張りばね（２４９）の作用により保持されている。
【００４７】
収縮する引張りワイヤ（９１）は、スライド係止片（２５６）及び推進スライダー（２５０）から成るユニットを左側へ引っ張ることになる。これにより、推進スライダー（２５０）のラック（２５２）が、ケーシング（２３１）内で支承部位（２７５）に旋回可能に支承された押し開けレバー（２７０）の歯部（２７３）に沿って移動し、言い換えれば、歯部（２７３）が相対的にラック（２５２）上を転動することになる。押し開けレバー（２７０）は時計回り方向で背壁（２２）に向けて旋回させられ、ひいては引き出し（２１）を開放方向（１）に加速する。
【００４８】
押し開けレバー（２７０）が該押し開けレバーの、図１３に示してある終端位置に達する直前に、制御ピン（２５８）は、ケーシング側の凹部（２３３）の乗り上げ傾斜面（２３４）にぶつかるようになっている。これにより、制御ピン（２５８）は、推進側面（２５５）から移し外されることになる。つまり、スライド係止片（２５６）は、案内ピン（２５９）を中心として時計回り方向に、図示の実施形態では１３．５度にわたって旋回させられる。その結果、制御ピン（２５８）は、長孔滑子案内（２５４）の、推進スライダー（２５０）の移動方向（スライド方向）と平行に延びる領域内に達する。つまり、制御ピン（２５８）は、推進スライダー（２５０）を引張りワイヤ（９１）から連結解除（係止解除）することになる。
【００４９】
上記連結解除に基づき、推進スライダー（２５０）は、引張りばね（２６１）の引張り作用により、右側へ引っ張られ、ひいては、押し開けレバー（２７０）が戻り旋回させられる（図１４、参照）。推進スライダーの右側への引張りに際して、スライド係止片（２５６）は連行されない。
【００５０】
引張りワイヤ（９１）の続く伸長過程において、係止片レバーアーム（２５７）に引っ掛けられている引張りばね（２４９）が、スライド係止片（２５６）を右側へ移動させるようになっている。引張りワイヤ（９１）が完全に冷却されると、制御ピン（２５８）は、推進スライダー（２５０）と引張りワイヤ（９１）との間の連結のために、再び推進側面（２５５）の前側の位置に達している（図９、参照）。引き出し（２１）の閉鎖に伴って、作動装置は再びその出発位置を占めることになる。
【００５１】
図１５、図１７及び図１８は、引き出し（２１）の一部分、及び、該引き出しの後側に配置された作動装置を上方から見て示す図である。該作動装置は、駆動装置（３３０）を有しており、該駆動装置は、引張りワイヤ（９１）及びばね負荷された戻しワイヤ（３６２）により少なくとも部分的に巻き掛けられたローププーリー（３４０）を有している。ローププーリー（３４６）は、ラチェット歯を有する円形の係止ディスク（３５０）に、押し開けレバー（３７０）を支持しており、該押し開けレバーは、係止ディスク（３５０）内に長手方向移動可能に支承されていて、外部から操作されるようになっている。
【００５２】
図１５及び図１６は、本体（１１）に固定されているフレーム（３３１）に取り付けられた駆動装置（３３０）を、その出発位置で示している。レリーズ突起部（２９）を有する引き出し（２１）は、その閉鎖位置（５）を占めている。
【００５３】
駆動装置（３３０）の主要な構成部分は、ローププーリー（３４０）であり、該ローププーリーは、引張りワイヤ（９１）と戻しワイヤ（３６２）とをそれぞれ片側から巻き掛けられている。ローププーリー（３４０）は、旋回ピン（３３９）に例えば滑り支承されており、該旋回ピンはフレーム（３３１）に取り付けられている。引張りワイヤ（９１）の上側でローププーリー（３４０）に、スイッチ作動ディスク（３４１）を配置してある。スイッチ作動ディスク（３４１）は、片側でローププーリー（３４０）を超えて突出していて、該スイッチ作動ディスクの外周の最大直径の部位に永久磁石（３４２）を有している。
【００５４】
スイッチ作動ディスク（３４１）に設けられた旋回ボルト（３４４）に、二腕状の係止体（３４３）を支承してある。係止体（３４３）は、ラチェット機構の構成部分として、同じく旋回ピン（３３９）に支承されている係止ディスク（３５０）のラチェット歯に係合している。係止体（３４３）は、係止ディスク（３５０）の逆時計回りの回転を防止するようになっている。このために、係止体（３４３）は、一方の端部でもって該係止体（３４３）に引っ掛けられかつ他方の端部でもって、スイッチ作動ディスク（３４１）に設けられたボルト（３４５）に取り付けられた引張りばね（３４９）により、ラチェット歯とのかみ合いを保たれている。
【００５５】
係止ディスク（３５０）は、そのラチェット歯（３５１）の上側にあり継ぎ案内（３５２）を有しており、該あり継ぎ案内内に押し開けレバー（３７０）が案内されている。押し開けレバー（３７０）は、図１５及び図１６では、引き出し（２１）のレリーズ突起部（２９）の接触面に対して少なくともほぼ平行である位置を占めている。該位置において、押し開けレバーは、係止ロック機構を用いて係止ディスク（３５０）に対して保持（ロック）されている。このために、係止ディスク（３５０）の止まり穴内に配置されかつばね負荷された係止球（３５４）が、押し開けレバー（３７０）の２つのレバー切欠き部（３７５，３７６）のうちの１つ（３７５）に押し込まれている。
【００５６】
ローププーリー（３４０）の横には、リニア駆動部としてフレーム（３３１）上に行程磁石（３８０）が配置されている。行程磁石（３８０）のケーシング内にコイル（３８２）を組み込んであり、該コイルは、通電により、行程磁石（３８０）の中央の孔内に案内されたコア（３８５）に作用するようになっている。可動子であるコア（３８５）は、ケーシングから突出している突き棒（３８６）を有しており、該突き棒の前側の端部は、例えば非金属性の突き棒ハンマー（３８７）を支持している。行程磁石の中央の孔内でコア（３８５）の後側に配置された引張りばね（３８９）は、コイル（３８２）の非通電時にコア（３８５）を該コアの後側の位置に保持している。この状態では、突き棒ハンマー（３８７）は、行程磁石（３８０）の前側のケーシング端面に当接している。
【００５７】
引き出し（２１）を開けるためには、引き出しが、スイッチ（８）に向けて動かされる。これにより、引張りワイヤ（９１）が回路を介して通電される。通電により収縮する引張りワイヤ（９１）は、一方の端部ではフレーム（３３１）の保持ボルト（３３３）に引っ掛けられ、かつ他方の端部ではローププーリー（３４０）の取り付け部位（３４８）に固定されているので、ローププーリー（３４０）を、係止ディスク（３５０）及び押し開けレバー（３７０）と一緒に、実施形態では１８０度にわたって時計回り方向に回転（旋回）させることになる。ローププーリー（３４０）の該回転運動により、戻しワイヤ（３６２）が、ローププーリー（３４０）に１８０度にわたって巻き付けられる。戻しワイヤ（３６２）の前側の端部が、同じく取り付け部位（３４８）に固定されている。戻しワイヤ（３６２）の後側の端部には、引張りコイルばね（３６１）が一方の端部で引っ掛けられており、かつ他方の端部ではフレーム（３３１）の保持ボルト（３３４）に取り付けられている。引張りワイヤ（９１）の加熱による引張り過程中に、戻しばね（３６１）は伸ばされる（図１７、参照）。
【００５８】
引張りコイルばねの代わりに、回転力ばね、例えば旋回ピン（３３９）を取り囲むように支承されて一端でフレーム（３３１）に支えられかつ他端でローププーリーに支えられたねじりコイルばね若しくは脚形ばね等も用いられてよい。
【００５９】
係止ディスク（３５０）の旋回運動（回転運動若しくは回動運動）により、押し開けレバー（３７０）は、引き出し背面（引き出し背壁）に配置されたレリーズ突起部（２９）に向けて押圧（旋回）される。これにより、押し開けレバー（３７０）は、引き出し（２１）を開放方向（１）に加速するために、該押し開けレバーの自由な端部でもって、引き出し背壁（２２）に沿って、該押し開けレバーの旋回行程の約７５度にわたって滑動するようになっている。該滑動の後に、押し開けレバー（３７０）は引き出し（２１）から解離される。押し開けレバー（３７０）は、必要に応じて自由端部にレバーローラを支持していてよい（図４のレバーローラ（７９）、参照）。
【００６０】
引張りワイヤ（９１）がその収縮を終えるときに、つまり、短い方の長さに達するときに、押し開けレバー（３７０）は、１８０度にわたって旋回させられている（図１７、参照）。これによって、押し開けレバー（３７０）は、行程磁石（３８０）の突き棒ハンマー（３８７）に対して短い距離の位置を占めることになる。これに対応して、スイッチ作動ディスク（３４１）の永久磁石（３４２）は、フレーム（３３１）上に取り付けられたリードスイッチ（３０９）の前側の位置に旋回させられている。これにより、リードスイッチ（３０９）は、回路を介して行程磁石（３８０）を短時間作動させることになる。行程磁石（３８０）は、押し開けレバー（３７０）をその第２の終端位置へ移動させ（図１８、参照）、その結果、押し開けレバー（３７０）を再びその出発状態（出発位置）へ移すようになっている。第２の終端位置では、係止球（３５４）は、第２のレバー切欠き部（３７６）内に係合して、押し開けレバー（３７０）を係止ディスク（３５０）に対して係止（確保又はロック）している。
【００６１】
引張りワイヤ（９１）は、その間に、つまり通電終了の後に、冷却により伸長される。該伸長に際して、ローププーリー（３４０）は、引張りコイルばね（３６８）の引張り力下で再び、逆時計回り方向でローププーリーの出発位置へ戻り旋回される（図１８、参照）。しかしながら、係止ディスク（３５０）の位置は、該係止ディスクが、第２の係止体（３３６）によって、例えばフレーム（３３１）に取り付けられた板ばね形係止体によって戻り回転を阻止されているので、変化させられないようになっている。ローププーリー（３４０）及び引き出し（２１）が再びその出発位置を占めることにより、作動装置も再び、新たな開放作動のためのスタート位置を占めることになる。
【００６２】
図１９〜図２３に示す作動装置の駆動装置（４３０）は、引き出し（２１）を、該引き出しに配置された回転ディスク（４７０）を介して駆動するようになっている。
【００６３】
駆動装置は、プレート（４３１）に組み付けられており、該プレートは、図２０に示してあるように、本体（１１）の側壁（１３）に、それも背壁（１２）の近傍に配置されている。プレートは、例えば、引き出し（２１）を支持する案内レールの上方に位置している。駆動装置（４３０）は、必要に応じて、案内フレームに組み込まれていてよい。プレート（４３１）に設けられた案内ボルト（４３７，４３８）に、推進スライダー（４５０）がその長孔（４５１）を介して案内されている。推進スライダー（４５０）は、ブラケット部（４５８）を有しており、該ブラケット部の自由な端部に戻しばね（４６１）が引っ掛けられている。該戻しばねを形成する引張りばねの別の端部は、プレート側の保持ボルト（４３３）に枢着（保持）されている。戻しばね（４６１）は、引張りワイヤ（９１）の作用方向とは逆の方向に作用している。引張りワイヤ（９１）は、一方の端部で推進スライダー（４５０）の孔（４５２）に引っ掛けられており、かつ他方の端部でプレート側の保持ボルト（４３２）に取り付けられている。図１９に示す位置では、非通電状態の引張りワイヤ（９１）をピンと張っていることは、推進スライダー（４５０）が、戻しばね（４６１）の作用下で左側の長孔（４５１）の右側の端部でもって案内ボルトに接触させられるために、必須ではない。
【００６４】
推進スライダー（４５０）には、ラックが組み込まれており、該ラックの歯部（４５５）は、歯車（４４０）の歯部（４４１）とかみ合っている。歯車（４４０）は、中央の孔を有しており、該孔内にフリーホイール（４４５）が配置されている。フリーホイール（４４５）のハブは、回転ディスク（４７０）のハブを成している。回転ディスク（４７０）は、プレート（４３１）に取り付けられた旋回軸（４３９）に支承されている。
【００６５】
回転ディスク（４７０）は、縁部領域に押し開けピン（４７２）を支持しており、該押し開けピンは、図１９、図２０、図２２、及び図２３では、引き出し側壁（２３）の後側の縁部（４２５）に接触している。回転ディスク（４７０）はレバーであってもよく、該レバーの自由な端部に押し開けピン（４７２）が配置されている。
【００６６】
回転ディスク（４７０）は、側壁（２３）とは逆の側にラチェット歯（４７５）を有しており、該ラチェット歯には、係止体支承部（４３５）に支承されたアングル状の係止体（４３４）が、ばね負荷された状態で係合している。ラチェット歯（４７５）は逆時計回りを防止するようになっている。
【００６７】
引き出し（２１）を開けるために、つまり開放方向（１）に移動させるために、引張りワイヤ（９１）は、無線操作部、受信部及び配設の回路を介して短時間通電される。これにより、引張りワイヤ（９１）は収縮し、ひいては、推進スライダー（４５０）を戻しばね（４６１）の作用に抗して右側へ引っ張るようになっている。該引張りにより、歯車（４４０）は時計回り方向に回転される。該時計回り方向では、フリーホイール（４４５）は係止されていて、従って必然的にディスクハブ（４７１）及び回転ディスク（４７０）を同期的に回転させる。これにより、押し開けピン（４７２）は、引き出し縁部（４２５）に沿って滑動し、該滑動に基づき、引き出し縁部が移動させられ（図２１の矢印４０３、参照）、該移動運動は、押し開けピンの最小のてこ腕若しくは力伝達比で、言い換えれば、最大のモーメントで開始される。
【００６８】
引張りワイヤ（９１）の収縮行程が終了した状態では（図２１、参照）、回転ディスク（４７０）は約２２５度の回転角（旋回角）に達している。押し開けピン（４７２）は、その１８０度までの回転領域では引き出し縁部（４２５）と接触している。
【００６９】
引き出し（２１）がその質量慣性に基づき引き続き開放方向に運動している間に、引張りワイヤ（９１）は冷却作用により再び伸長される。戻しばね（４６１）は、推進スライダー（４５０）を左側へその出発位置へ移動させるようになっている（図２２、参照）。これにより必然に戻り回転させられる歯車（４４０）は、フリーホイール（４４５）が逆時計回り方向では開かれており、かつ係止体（４３４）が逆時計回り方向で回転ディスク（４７０）の回転運動を阻止しているので、回転ディスク（４７０）を回転駆動することはない。
【００７０】
回転ディスク（４７０）は、引き出し（２１）が閉められた場合に、再び、図１９に示す出発位置に達することになる（図２３、参照）。戻される、つまり閉鎖方向に移動させられる引き出し（２１）は、その縁部（４２５）でもって押し開けピン（４７２）を、前側へ、つまり閉鎖方向へ押すことになる。これにより、回転ディスク（４７０）は時計回り方向に回転させられる。該時計回り方向では、係止体（４３４）は係止作用を発生させていない。引き出し（２１）及び推進スライダー（４５０）がその閉鎖位置（５）に達すると、新たな開放サイクルが開始できるようになっている。
【００７１】
図２４及び図２５に示す変化形態では、引き出し（２１）は、押し開けレバー（７０）を介して、緊締されたばね要素（５６１）を用いて開けられるようになっている。押し開けレバー（７０）は、推進スライダー（５０）によって駆動されるようになっており、該推進スライダーに、ばね要素（５６１）が作用している。引き出し（２１）の開放の後に弛緩されているばね要素（５６１）の緊張若しくは引き伸ばしのために、形状記憶要素により形成された引張りワイヤ（５９１）が用いられている。
【００７２】
ばね要素（５６１）は、該変化形態では、引張りコイルばねであるものの、圧縮コイルばね、板ばね、脚形ばね、ねじりコイルばね、トーションばね、エラストマーばね、ガスばね等であってもよい。同一の複数のばね、若しくは種々の複数のばね、或いはばね定数の異なる複数のばねから成る１つの組み合わせユニットも、考えられる。ばね要素は、必要に応じて、推進スライダーに作用する重力錘と組み合わされてもよいものである。
【００７３】
図２４において、可動の全ての構成部分は、その出発位置にある。引き出し（２１）は、その背壁（２２）でもって直接に押し開けレバー（７０）及びばね蓄力器（５６１）の前側に位置を占めており、つまり、引張りばね（５６１）は、緊張され、即ち引き伸ばされている。引張りワイヤ（５９１）は、その最も伸長された長さに達し、つまり、最大の長さを占めている。
【００７４】
駆動装置（５３０）はプレート（５３１）に組み付けられている。推進スライダー（５０）は、その長孔（５１）を介して案内ボルト（３７，３８）に支承されている。案内ボルト（３７，３８）は、プレート（５３１）に取り付けられている。推進スライダー（５０）は、その貫通部若しくは切欠き部（５４）内に係止片（４４）を支持しており、該係止片は係止片旋回用ボルト（５７）を中心として旋回可能に支承されている。係止片（４４）は、旋回レバー（１４７）を有しており、該旋回レバーの自由な端部には、引張りばね（１４９）が引っ掛けられている。引張りばね（１４９）は、他方の端部で推進スライダー（５０）のブラケット部（５８）に取り付けられ、若しくは引っ掛けられている。
【００７５】
推進スライダー（５０）と引き出し背壁（２２）との間において、押し開けレバー（７０）が旋回ボルト（３９）に支承されている。押し開けレバー（７０）は、長い方のレバーアーム（７２）にレバーローラ（７９）を支持し、かつ短い方のレバーアーム（７１）に連行ボルト（７３）を支持している。連行ボルトは、図２４では係止片（４４）の推進突起部（４５）に接触している。
【００７６】
推進スライダー（５０）は、例えば後側の領域に係止突起部（５５）を有しており、該係止突起部の後側の側面は、推進スライダー（５０）の推進方向（スライド方向若しくは走行方向）に対して約１０度の角度を成している。係止突起部（５０）は、本体（１１）の背壁（１２）に向けられている。図２４では、推進スライダー（５０）と背壁（１２）との間に、電気作動式の行程磁石（５４１）が配置されている。行程磁石（５４１）は係止ボルト（５４２）を有しており、該係止ボルトは、ばね負荷されていて、行程磁石（５４１）の非通電状態では、推進スライダー（５０）に向けて走出させられている。係止ボルト（５４２）は、図２４では、推進スライダー（５０）を、その係止突起部（５５）に係合して、後側の位置に保持している。
【００７７】
推進スライダー（５０）の前側に引張りコイルばね（５６１）を配置してあり、該引張りコイルばねは、一方の端部で、プレート（５３１）に固定された保持ボルト（３２）に取り付けられていて、かつ他方の端部で、推進スライダー（５０）の前側の孔（５２）内に引っ掛けられている。推進スライダー（５０）は、係止突起部（５５）でもって係止ボルト（５４２）に当接している。
【００７８】
推進スライダーの後側の孔（５３）内には、引張りワイヤ（５９１）が引っ掛けられている。引張りワイヤ（５９１）はその別の端部でもってアイを介して、プレート（５３１）の保持ボルト（３３）に取り付けられている。引張りワイヤ（５９１）には、緊張レバー（５８０）が作用している。緊張レバー（５８０）は、プレート（５３１）上に旋回支承部（５３９）を用いて支承されている。緊張レバー（５８０）は、長い緊張アーム（５８２）を有しており、該緊張アームはその自由な端部に緊張レバーローラ（５８９）を支承しており、該緊張レバーローラは、引張りワイヤ（５９１）に接触している。緊張レバーは更に、短いスイッチアーム（５８１）を有しており、該スイッチアームは、緊張アーム（５８２）に対して例えば９０度の角度を成して配置されている。スイッチアーム（５８１）の自由な端部には、引張りばね（５８８）を引っ掛けてあり、該引張りばねは、他方の端部でプレート（５３１）の保持ボルト（５３５）に取り付けられている。引張りばね（５８８）により、引張りワイヤ（５９１）は、小さくとも常に張力若しくは引張り応力を受けた状態に保たれ、つまり、たるみを取り除かれている。
【００７９】
プレート（５３１）において、スイッチアーム（５８１）の旋回領域の１つの終端には、引張りワイヤ通電の開始のためのスイッチ（５０７）が配置されている。スイッチアームの左側の横には、別のスイッチ（５０９）を配置してあり、該スイッチは、引張りワイヤ通電の遮断を行うようになっている。別のスイッチは、その接点でもって、推進スライダー（５０）のブラケット部（５８）の後側に接触している。
【００８０】
引き出し（２１）を開けようとする場合には、引き出し背壁（２２）とスイッチ（８）との間の接触により、例えば回路を介して、行程磁石（５４１）が作動される。これにより、係止ボルト（５４２）は、推進スライダー（５０）の係止突起部（５５）から滑り外される（図２５、参照）。これにより解放された推進スライダー（５０）は、引張りコイルばね（５６１）の作用下で左側へ移動させられつつ、押し開けレバー（７０）を時計回り方向に引き出し背壁（２２）に向けて旋回させることになる（図５も、参照）。
【００８１】
推進スライダー（５０）の上記移動により、非通電状態の低温の引張りワイヤ（５９１）は、引っ張られつつ、緊張レバーローラ（５８９）を介して緊張レバー（５８０）を時計回り方向に旋回させることになる。引張りワイヤ（５９１）が完全に直線状に引っ張られ、つまり緊張されると、スイッチアーム（５８１）はスイッチ（５０７）に接触するようになっている。これにより、スイッチ（５０７）は、回路を介して引張りワイヤ（５９１）に給電を行うようになっている。これによって、引張りワイヤ（５９１）は、収縮しつつ、引張り力を形成し、ひいては引張りコイルばね（５６１）を引き伸ばすことになる。該引き伸ばし過程は、係止ボルト（５４２）が再び係止突起部（５５）の前側に係合すると、終えられ（図２４、参照）、かつブラケット部（５８）が、スイッチ（５０９）を作動させるようになっている。スイッチ（５０９）は、引張りワイヤ通電を遮断し、結果として、引張りワイヤ（５９１）は再び伸長し、かつ緊張レバー（５８０）は、図２４に示す位置へ旋回させられることになる。引き出し（２１）の閉鎖の後に、引き出し開放過程は新たに導入できるようになっている。
【００８２】
図２６及び図２７は、本体（１１）内に案内されている引き出し（２１）を下方から示している。引き出し（２１）は、一方（第１）の駆動装置（３０）を用いて開けられ、かつ他方（第２）の駆動装置（６３０）を用いて閉められる。
【００８３】
第１の駆動装置（３０）は、引き出し（２１）の後側の領域に配置されている。このために、本体の背壁（１２）の前側には、プレート（３１）若しくはフレームを組み込んであり、該プレート若しくはフレームの下側に、既に図４〜図８に示した駆動装置（３０）が取り付けられている。
【００８４】
第２の駆動装置（６３０）は、例えば第１の駆動装置（３０）に対して少なくともほぼ同一の構造を有していて、引き出し（２１）の下方で例えば扁平な横けた（６３１）に取り付けられており、従って駆動部分は、横けた（６３１）と引き出し底部（６２４）との間に保護された状態で配置されている。
【００８５】
駆動装置（６３０）のために、引き出し底部（６２４）の下側に位置決めロッド（６２７）が配置されている。位置決めロッド（６２７）は、円筒状若しくは円柱状の平滑なロッドによって形成されており、該ロッドは、前側でフロントプレート（６２５）の止まり穴内に差し込まれ、かつ後側で支え（６２６）の止まり穴内に差し込まれている。位置決めロッド（６２７）は、引き出し（２１）の開放方向（１）に対して平行に向けられていて、長手方向では遊びが生じないように、止まり穴内に緊定されている。
【００８６】
位置決めロッド（６２７）には、締め付け揺動体（６８１）が支承されている。締め付け揺動体（６８１）は、例えばアルミニウム合金製の横断面長方形の条片によって形成されていて、正確に中央に孔（６８４）を有しており、該孔の内径は、位置決めロッド（６２７）の外径よりも、例えば０．３〜０．６ｍｍだけ大きくなっている。締め付け揺動体（６８１）の上面は、変形しにくい平滑な引き出し底部（６２４）の下面と少なくとも点状に接触している。
【００８７】
支え（６２６）と締め付け揺動体（６８１）との間には、締め付け揺動体の移動に追従する圧縮ばね（６８９）及びスライドスリーブ（６８８）が配置されている。スライドスリーブ（６８８）は、前側で締め付け揺動体（６８１）の背面（６８２）に直接に接触している。スライドスリーブ（６８８）の後側に配置されている圧縮ばね（６８９）は、スライドスリーブ（６８８）と支え（６２６）とに支えられている。図２６において、引き出し（２１）を開けていない状態では、締め付け揺動体（６８１）は、前側で、横けた（６３１）に設けられていて例えば凸球面状に形成されたストッパー要素（６３９）に当接していて、フロントプレート（６２５）に対して少なくともほぼ平行に向けられている。
【００８８】
引き出し（２１）が所定の距離にわたって部分的に開けられ、若しくは完全に開けられる際に、横けた（６３１）のストッパー要素（６３９）は、締め付け揺動体（６８１）を、引き出し（２１）に対して相対的に開放距離にわたって移動させることになる。締め付け揺動体（６８１）は、フロントプレート（６２５）に対してほぼ平行に向けられている。
【００８９】
引き出し（２１）を再び閉める場合に、本体（１１）若しくは引き出し（２１）に配置されているスイッチが作動されて、前側の駆動装置（６３０）の引張りワイヤ（８９１）への給電を行うようになり、その結果、該駆動装置の押し開けレバー（６７０）が、締め付け揺動体（６８１）の前側（６８３）に当接される。該当接により、締め付け揺動体（６８１）が、その孔（６８４）と位置決めロッド（６２７）との間の遊びにより規定されるわずかな角度にわたって傾けられ、ひいては、位置決めロッド（６２７）に締め付けられ、つまり、ロックされる。その結果として、押し開けレバー（６７０）の旋回運動（図４〜図８及びその記載も、参照）が、位置決めロッド（６２７）を介して引き出し（２１）に伝達される。引き出し（２１）は、閉鎖方向（２）に運動させられる。該閉鎖運動は、圧縮ばね（６８９）のわずかなばね作用により支援される。
【００９０】
押し開けレバー（６７０）が再びその出発状態（図２６、参照）に戻されると、締め付け揺動体（６８１）は、再びフロントプレート（６２５）に対して平行に向けられて、横けた（６３１）のストッパー要素（６９３）に向けて、位置決めロッドに沿って摺動させられる。
【００９１】
異なる実施形態として、開けられている引き出し（２１）を、短い引張り過程により閉めるようにすることも可能である。このために、締め付け揺動体（６８１）の左側の端部の前側に、横けた（６３１）に取り付けられた電気式のスイッチ（６０８）のスイッチボタンが配置されている。レバーローラ（６７９）に支持されている締め付け揺動体（６８１）が、引き出しの急激な短い引張り行程により、スイッチ（６０８）のスイッチボタンに打ち付けられるようになっている。スイッチ（６０８）は、回路を介して引張りワイヤ（６９１）を作動させて、引張りワイヤ通電により閉鎖運動を開始するようになっている。
【００９２】
開放位置において、引き出し（２１）は、本体に対して弾性的なストッパー（図示省略）を有しており、該ストッパーは、引き出し（２１）が、該引き出しの開放位置においてもスイッチ（６０８）の作動のために、更に十分の数ミリメートルにわたって引き出され得ることを可能にしている。
【００９３】
引き出し（２１）を開けるために、閉鎖運動により操作されるスイッチ（８）は、本体（１１）若しくは引き出し（２１）等の適切な部位に配置される操作要素によって代替されていてもよいものである。ワイヤレスの操作要素も考えられる。
【符号の説明】
【００９４】
１  開放方向、  ２  閉鎖方向、  ５  閉鎖位置、  ６  開放位置、  ８  スイッチ、  １０  キャビネット、  １１  本体、  １２  背壁、  １３  側壁、  １５  支持フレーム、  ２１  引き出し、  ２２  背壁、  ２４  連行ピン又は連行要素、  ２５  支持ローラ、  ２６  案内レール、  ２７  凹部、  ２８  隆起部、  ２９  レリーズ突起部、  ３０  駆動装置、  ３１  プレート、  ３２〜３５  保持ボルト、  ３７，３８  案内ボルト、  ３９  旋回ピン、  ４１  滑子案内、  ４２  滑子案内溝、  ４３  磁石、  ４４  係止片又は係止器、  ４５  推進突起部、  ４６  前縁、  ４７  片持ちアーム、  ４８  滑子ピン、  ４９  レリーズプレート又は係止解除プレート、  ５０  推進スライダー、  ５１  長孔、  ５２，５３  孔、  ５４  切欠き部又は貫通部、  ５５  係止突起部、  ５７  係止片旋回用ボルト、  ５８  ブラケット部、  ６１  引張りコイルばね、  ７０  押し開けレバー、  ７１，７２  レバーアーム、  ７３  連行ボルト、  ７８  引張りばね、  ７９  レバーローラ、  ９１  引張りワイヤ、  ９３  カスケード式引張りワイヤユニット、  ９４，９５  引張りワイヤ、  １３０  駆動装置、  １３１  プレート、  １３２  ストッパーボルト、  １３３  保持ボルト、  １４７  旋回レバー、  １４８  ストッパー、  １４９  引張りばね、  ２３０  駆動装置、  ２３１  ケーシング、  ２３２  案内フレーム、  ２３３  凹部、  ２３４  乗り上げ傾斜面、  ２３５，２３６  貫通部、  ２３８，２３９  支承部位、  ２４９  引張りばね、  ２５０  推進スライダー、  ２５１  ウエブ、  ２５２  ラック、  ２５３  支承部位又は切欠き部、  ２５４  長孔滑子案内、  ２５５  推進側面、  ２５６  スライド係止片又はスライド係止器、  ２５７  係止片レバーアーム、  ２５８  制御ピン、  ２５９  案内ピン、  ２６１  引張りばね、  ２７０  押し開けレバー、  ２７１  アーム、  ２７２  ハブ、  ２７３  歯列、  ２７５  支承部位又は孔、  ２７６  旋回ピン又は旋回ボルト、  ２７７  接触面、  ２７８，２７９  接触線、  ２９２  引張り舌片、  ３０９  リードスイッチ、  ３３０  駆動装置、  ３３１  フレーム、  ３３３  保持ボルト、  ３３６  係止片、  ３３９  旋回ピン、  ３４０  ローププーリー、  ３４１  スイッチ作動ディスク、  ３４２  永久磁石、  ３４３  係止体、  ３４４  旋回ボルト、  ３４５  ボルト、  ３４８  取り付け部位、  ３５０  係止ディスク又は係止プレート、  ３５４  係止球、  ３６１  引張りコイルばね、  ３６２  戻しワイヤ、  ３７０  押し開けレバー、  ３７５，３７６  レバー切欠き部、  ３８０  行程磁石、  ３８２  コイル、  ３８５  コア、  ３８６  突き棒、  ３８７  突き棒ハンマー、  ３８９  引張りばね、  ４２５  引き出し縁部、  ４３０  駆動装置、  ４３１  プレート、  ４３４  係止体、  ４３５  係止体支承部、  ４３７，４３８  案内ボルト、  ４３９  旋回軸、  ４４０  歯車、  ４４１  歯部、  ４４５  フリーホイール、  ４５０  推進スライダー、  ４５１  長孔、  ４５２  孔、  ４５５  歯部、  ４５８  ブラケット部又は張り出し部、  ４６１  戻しばね、  ４７０  回転ディスク、  ４７１  ハブ、  ４７２  押し開けピン、  ４７５  ラチェット歯、  ５０７  スイッチ、  ５０９  スイッチ、  ５３０  駆動装置、  ５３１  プレ��ト、  ５３５  保持ボルト、  ５３９  旋回支承部、  ５４１  行程磁石、  ５４２  係止ボルト、  ５６１  ばね要素、  ５８０  緊張レバー、  ５８１  スイッチアーム、  ５８２  緊張アーム、  ５８８  引張りばね、  ５８９  緊張レバーローラ、  ５９１  引張りワイヤ、  ６０８  スイッチ、  ６２４  引き出し底部、  ６２５  フロントプレート、  ６２６  支え、  ６３０  駆動装置、  ６３１  横けた、  ６２７  位置決めロッド、  ６３９  ストッパー要素、  ６７０  押し開けレバー、  ６８１  締め付け揺動体、  ６８３  前側、  ６８４  孔、  ６８８  スライドスリーブ、  ６８９  圧縮ばね、  ６９１  引張りワイヤ
【図１】
2011522642.tif 000003
【図２】
2011522642.tif 000004
【図３】
2011522642.tif 000005
【図４】
2011522642.tif 000006
【図５】
2011522642.tif 000007
【図６】
2011522642.tif 000008
【図７】
2011522642.tif 000009
【図８】
2011522642.tif 000010
【図９】
2011522642.tif 000011
【図１０】
2011522642.tif 000012
【図１１】
2011522642.tif 000013
【図１２】
2011522642.tif 000014
【図１３】
2011522642.tif 000015
【図１４】
2011522642.tif 000016
【図１５】
2011522642.tif 000017
【図１６】
2011522642.tif 000018
【図１７】
2011522642.tif 000019
【図１８】
2011522642.tif 000020
【図１９】
2011522642.tif 000021
【図２０】
2011522642.tif 000022
【図２１】
2011522642.tif 000023
【図２２】
2011522642.tif 000024
【図２３】
2011522642.tif 000025
【図２４】
2011522642.tif 000026
【図２５】
2011522642.tif 000027
【図２６】
2011522642.tif 000028
【図２７】
2011522642.tif 000029
【国際調査報告】
2011522642.tif 000030
2011522642.tif 000031
2011522642.tif 000032
2011522642.tif 000033